(57)【要約】【課題】  特にタイプやサイズの異なるさまざまなドライバービットを同一のスリーブに設けられるようにすることにより、使用するネジと対応するドライバービットを選ぶだけで簡単にねじ止め作業をできるようにした交換式先端工具部材を提供する。【解決手段】スリーブと、弾性リングと、ドライバービットとを有し、該スリーブは、内部中央に穿設される貫通孔と、前端に形成される当接端部と、後端の内周面に凹設される環状凹部とを備えるものであり、該弾性リングは、前記スリーブの環状凹部に設置されるものであり、該ドライバービットは、着脱可能に前記スリーブの貫通孔に貫設され、前記スリーブの当接端部から突出するネジ連結端部と、工具連結端部と、該ネジ連結端部と工具連結端部との間に形成されると共に、前記弾性リングと対応するように嵌合される環状の嵌合凹部とを備えることを特徴とする。【選択図】  図１
0003163118.tif 000002
【実用新案登録請求の範囲】
【請求項１】
内部中央に穿設される貫通孔と、前端に形成される当接端部と、後端の内周面に凹設される環状凹部とを備えるスリーブと、
前記スリーブの環状凹部に設置される弾性リングと、
前記スリーブの当接端部から突出するネジ連結端部と、工具連結端部と、該ネジ連結端部と工具連結端部との間に形成されると共に、前記弾性リングと対応するように嵌合される環状の嵌合凹部とを備え、着脱可能に前記スリーブの貫通孔に貫設されるドライバービットとを有することを特徴とする交換式先端工具部材。
【請求項２】
前記スリーブにおける当接端部の近傍の内周面に収容凹部が凹設されることを特徴とする請求項１に記載の交換式先端工具部材。
【請求項３】
前記工具連結端部の外径は、前記スリーブの貫通孔の内径より大きいことを特徴とする請求項１または２に記載の交換式先端工具部材。
【請求項４】
前記弾性リングがＣ字形リングであることを特徴とする請求項３に記載の交換式先端工具部材。
【請求項５】
前記弾性リングがＣ字形リングであることを特徴とする請求項１または２に記載の交換式先端工具部材。
【考案の詳細な説明】
【技術分野】
【０００１】
本考案は、特に安定的にネジを対象物にねじ止めすることができる電動ドライバー用交換式先端工具部材に関するものである。
【背景技術】
【０００２】
従来の先端工具部材は、ドライバービットと、スリーブとを含み、着脱可能に電動ドライバーに装着され、安定的にネジを対象物にねじ止めするためのものであり、その内、該ドライバービットは、細長状の棒体を呈し、前端がネジ頭部の嵌入溝と対応する一字形や十字形のドライバ端であると共に、後端が電動工具に装着される連結端であり、該連結端が断面略六角形を呈し、また、該スリーブは、該ドライバービットの両端がスリーブから突出するように該ドライバービットに環装され、且つドライバ端の近傍に固定され、前側の環状周面が当接面部となるものである。
【０００３】
また、従来の先端工具部材を使用する時は、ドライバービットの連結端を電動ドライバーに装着すると共に、ドライバービットのドライバ端をネジ頭部の嵌入溝に嵌合すれば、該電動ドライバーの回転により、ネジを対象物にねじ止めすることができる。さらに、この構成によれば、ネジの頭部がスリーブの内部に位置することから、ネジがスリーブに囲まれるので、安定的に回させることができる。また、スリーブの当接面部が対象物の表面に当接すると、ネジがドライバ端から離れて深くねじ止めすることができなくなることから、ネジの締めすぎによる対象物の破損を防ぐことができる。
【０００４】
更に、既存の先端工具部材には、例えば、台湾実用新案Ｍ３７２２４１の「締め付けスリーブ」などを有し、その「締め付けスリーブ」は、スリーブと、ドライバービットとを有し、そのうち該スリーブは、可撓性を有する素材からなり、ネジの頭部を収容するために、前端の内周面に位置決め凹部が形成される。一方、前記ドライバービットは、該スリーブを貫くように該スリーブの弾力により突出可能に一体に結合され、その前端は、該スリーブの位置決め凹部に位置すると共に、ネジ頭部の嵌入溝に嵌合され、後端は電動ドライバに取り付けられる。このように、この構成によれば、対象物にねじ止めすることができる。
【考案の概要】
【考案が解決しようとする課題】
【０００５】
しかしながら、既存の先端工具部材においては、上述したように、スリーブとドライバービットとが一体に形成されることから、サイズが決められているので、異なるサイズのネジに使用する場合には、先端工具部材を変更しなけらばならない。故に、使用者は、サイズの異なる多くの先端工具部材を用意しなければならなく、用意したとしても、使用するサイズの先端工具部材を探すのは非常に面倒であり、工具箱を携帯するのも不便であった。
【０００６】
また、既存の異なるタイプの先端工具部材は、前記「締め付けスリーブ」に示すように、スリーブが可撓性を有する素材からなり、着脱可能にドライバービットに環装するだけでよいが、そのスリーブを頻繁に異なるサイズのドライバービットに着脱し続けると、スリーブの弾力が徐々に衰え、使用寿命が縮まってしまうという欠点があった。
【０００７】
更に、既存の先端工具部材は、ネジを対象物にねじ止めする時、スリーブの当接面部が対象物に当接することにより、スリーブに収容されるネジの頭部が対象物の表面から突出することがあるから、安全性が低下するという問題があった。
【課題を解決するための手段】
【０００８】
本考案に係る交換可能な先端工具部材は、スリーブと、弾性リングと、ドライバービットとを有し、その内、該スリーブは、内部中央に穿設される貫通孔と、前端に形成される当接端部と、後端の内周面に凹設される環状凹部とを備え、該弾性リングは、前記スリーブの環状凹部に設置され、該ドライバービットは、着脱可能に前記スリーブの貫通孔に貫設され、前記スリーブの当接端部から突出するネジ連結端部と、工具連結端部と、該ネジ連結端部と工具連結端部との間に形成されると共に、前記弾性リングと対応するように嵌合される環状を呈する嵌合凹部とを備えるものであり、それらの構成により、タイプやサイズが異なるさまざまなドライバービットを同一のスリーブ１に設けることができる。
【０００９】
また、この構成によれば、前記スリーブにおける当接端部の近傍の内周面に収容凹部が形成されるので、ネジの頭部を収容することができる。
【００１０】
さらに、前記工具連結端部の外径は、前記スリーブの貫通孔の内径より大きいことから、前記ネジ連結端部をスリーブの貫通孔に挿入する時、工具連結端部から力を入れて圧押すると、嵌合凹部が環状凹部に設置される弾性リングと対応するように嵌めこまれる。
【００１１】
尚、前記弾性リングは、Ｃ字形リングであることが好ましい。
【考案の効果】
【００１２】
本考案に係る交換式先端工具部材は上記の課題を解決するものであることから、タイプやサイズの異なるさまざまなドライバービットを同一のスリーブに装着することが可能であるので、生産コストを節約することができる。また、スリーブの当接端部が、例えば木材質部材の表面に当接すると、更なるねじ込みが防止されるので、木材質部材を傷つけることはない。
【図面の簡単な説明】
【００１３】
【図１】本考案に係る交換式先端工具部材の斜視図である。
【図２】本考案に係る交換式先端工具部材の部分分解図である。
【図３】本考案に係る交換式先端工具部材の側部断面図である。
【図４】本考案に係る交換式先端工具部材の平面断面図である。
【図５】本考案に係る交換式先端工具部材におけるタイプやサイズの異なるドライバヘッドを示す部分側面断面図である。
【図６】本考案に係る交換式先端工具部材におけるタイプやサイズの異なるドライバヘッドを示す部分側面断面図である。
【図７】本考案に係る交換式先端工具部材におけるタイプやサイズの異なるドライバヘッドを示す部分側面断面図である。
【図８】本考案に係る交換式先端工具部材を電動ドライバーに装着してねじ止めしている状態を示す部分側面断面図である。
【考案を実施するための形態】
【００１４】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１５】
図１乃至図４に示すように、本考案に係る交換式先端工具部材は、スリーブ１と、弾性リング３と、ドライバービット２とを有し、そのうち該スリーブ１は、金属や合金からなり、内部中央に穿設される貫通孔１０と、前端に形成される当接端部１１と、該当接端部１１の近傍の内周面に凹設される収容凹部１００と、後端の内周面に凹設される環状凹部１２とを備え、また、該弾性リング３は、該スリーブ１の環状凹部１２に設置されるＣ字形リングであることが好ましい。
【００１６】
前記ドライバービット２は、金属や合金からなり、着脱可能に前記スリーブ１の貫通孔１０に貫設され、前記スリーブ１の当接端部１１から突出するネジ連結端部２０と、該スリーブ１の貫通孔１０の内径より大きな外径を有する工具連結端部２１と、該ネジ連結端部２０と工具連結端部２１との間に形成されると共に、前記スリーブ１の貫通孔１０の内部に位置し、前記弾性リング３と対応するように嵌合される環状の嵌合凹部２２とを備えるものである。尚、前記ネジ連結端部２０は、ネジの頭部と対応する一字形や、十字形、多辺形などの断面を有することが好ましく（図５乃至図７に示す）、該工具連結端部２１は、多辺形の断面を有することが好ましく、該嵌合凹部２２は、弾性リング３の内径よりやや小さな外径を有することが好ましい。
【００１７】
また、本考案に係る交換式先端工具部材は、スリーブ１とドライバービット２とを組み合せる時、該ドライバービット２のネジ連結端部２０をスリーブ１の貫通孔１０に挿入し、前記工具連結端部２１の末端から力を入れて圧押すると、前記嵌合凹部２２が環状凹部１２に設置される弾性リング３に嵌め込まれ、該弾性リング３がドライバービット２に位置決めされるので、ドライバービット２とスリーブ１とを強固に結合させることができる。
【００１８】
図５乃至図７に示すように、本考案に係る交換式先端工具部材は、ドライバービット２が着脱可能にスリーブ１に設けられることから、タイプやサイズの異なるドライバービット２に自由に変更することができる。また、使用する時に、ネジがドライバービット２のネジ連結端部２０と対応していない場合には、単に該ドライバービット２を取り外して対応する他のドライバービット２を交換するだけでよいので、使用上とても便利である。
【００１９】
図８に示すように、本考案に係る交換式先端工具部材を使用する時は、ネジ５と対応する適当なドライバービット２を選んでからドライバービット２をスリーブ１に装着し、該ドライバービット２は、工具連結端部２１が電動工具４に連結されることにより連動すると共に、ネジ連結端部２０はネジ５の頭部５０の嵌合溝に嵌合され、さらに、該ネジ５は、その頭部５０がスリーブ１の当接端部１１に当接され、電動工具４を駆動することにより、ネジを対象物にねじ止めすることができる。
【００２０】
また、本考案によれば、前記ドライバービット２のネジ連結端部２０は、スリーブ１の当接端部１１から突出することから、ネジ５の頭部５０を木材質部材の対象物における表面６にねじ込むことができ、ネジ５の頭部５０の木材質部材の表面６からの突出を防ぐので、ねじ止めを精確に行うことができると共に、安全性も上昇させることができる。
【００２１】
さらに、スリーブ１の当接端部１１が木材質部材の表面６に接触すると、ねじ止めが停止し、ネジ５とネジ連結端部２０とが離間するので、ネジ５が木材質部材の表面６に深くねじ込まれることによる木材質部材の亀裂などを防止することができる。使用上非常に便利であり、生産コストも抑えることができる。
【産業上の利用可能性】
【００２２】
本考案は上記の構成を有することから、タイプやサイズの異なるさまざまなドライバービットを同一のスリーブに装着することが可能であるので、生産コストを節約することができる。また、スリーブの当接端部が、例えば木材質部材の表面に当接すると、更なるねじ込みが防止されるので、木材質部材を傷つけることはない。
【符号の説明】
【００２３】
１    スリーブ
１０    貫通孔
１００  収容凹部
１１    当接端部
１２    環状凹部
３    弾性リング
２    ドライバービット
２０    ネジ連結端部
２１    工具連結端部
【図１】
0003163118.tif 000003
【図２】
0003163118.tif 000004
【図３】
0003163118.tif 000005
【図４】
0003163118.tif 000006
【図５】
0003163118.tif 000007
【図６】
0003163118.tif 000008
【図７】
0003163118.tif 000009
【図８】
0003163118.tif 000010